(57)【要約】【課題】この発明は、２つのＬＳＩを有するＩＣカードに対し各ＬＳＩに記録したデータを相互にやりとりできる情報処理装置、情報処理システム、ＩＣカード、および電子マネーシステムを提供することを課題とする。【解決手段】情報処理システム１は、ハイブリッドカードＣ、および情報処理装置１０を含む。例えば、このシステム１を電子マネーシステムに適用した場合、カードＣの残高を補充する際、非接触用アンテナ６を介して非接触用ＬＳＩ８の残高を処理装置１０のＳＡＭ１８へ移し、接触用端子２を介して接触用ＬＳＩ４に残高を書き込む。そして、接触用ＬＳＩ４の残高を更新した後、この更新した残高をＳＡＭ１８へ移行して非接触用アンテナ６を介して非接触用ＬＳＩ８に書き込む。【選択図】      図１
2007114963.tif 000002
【特許請求の範囲】
【請求項１】
第１のインターフェースを有する第１のＬＳＩ、および第２のインターフェースを有する第２のＬＳＩを有するＩＣカードとの間で情報の読み書きを行なう情報処理装置であって、
上記第１のインターフェースを介して上記第１のＬＳＩとの間で情報を読み書きするための第３のインターフェースと、
上記第２のインターフェースを介して上記第２のＬＳＩとの間で情報を読み書きするための第４のインターフェースと、
上記第１および第３のインターフェースを介して上記第１のＬＳＩから読み出した第１の情報を保持するとともに、上記第２および第４のインターフェースを介して上記第２のＬＳＩから読み出した第２の情報を保持する保持部と、
上記第１および第２の情報を上記第１および第２のＬＳＩから読み出して上記保持部へ保持せしめるとともに、この保持せしめた第１の情報を上記第２および第４のインターフェースを介して上記ＩＣカードの上記第２のＬＳＩへ書き込み、上記保持部へ保持せしめた第２の情報を上記第１および第３のインターフェースを介して上記ＩＣカードの上記第１のＬＳＩへ書き込む制御部と、
を有することを特徴とする情報処理装置。
【請求項２】
上記制御部は、上記第１および第３のインターフェースを介して上記ＩＣカードの上記第１のＬＳＩの情報を書き換え、上記第２および第４のインターフェースを介して上記ＩＣカードの上記第２のＬＳＩの情報を書き換えることを特徴とする請求項１に記載の情報処理装置。
【請求項３】
上記保持部は、一定レベル以上のセキュリティーを確保した状態でデータを保持することを特徴とする請求項１に記載の情報処理装置。
【請求項４】
上記ＩＣカードは、接触用端子を有する接触用ＬＳＩおよび非接触用アンテナを有する非接触用ＬＳＩを有するハイブリッドカードであることを特徴とする請求項１に記載の情報処理装置。
【請求項５】
第１のインターフェースを有する第１のＬＳＩ、および第２のインターフェースを有する第２のＬＳＩを有するＩＣカードと、
このＩＣカードとの間で情報の読み書きを行なう情報処理装置と、を有する情報処理システムであって、
上記情報処理装置は、
上記ＩＣカードの上記第１のインターフェースを介して上記第１のＬＳＩとの間で情報を読み書きするための第３のインターフェースと、
上記ＩＣカードの上記第２のインターフェースを介して上記第２のＬＳＩとの間で情報を読み書きするための第４のインターフェースと、
上記第１および第３のインターフェースを介して上記第１のＬＳＩから読み出した第１の情報を保持するとともに、上記第２および第４のインターフェースを介して上記第２のＬＳＩから読み出した第２の情報を保持する保持部と、
上記第１および第２の情報を上記第１および第２のＬＳＩから読み出して上記保持部へ保持せしめるとともに、この保持せしめた第１の情報を上記第２および第４のインターフェースを介して上記ＩＣカードの上記第２のＬＳＩへ書き込み、上記保持部へ保持せしめた第２の情報を上記第１および第３のインターフェースを介して上記ＩＣカードの上記第１のＬＳＩへ書き込む制御部と、
を有することを特徴とする情報処理システム。
【請求項６】
上記情報処理装置の上記制御部は、上記第１および第３のインターフェースを介して上記ＩＣカードの上記第１のＬＳＩのデータを書き換え、上記第２および第４のインターフェースを介して上記ＩＣカードの上記第２のＬＳＩのデータを書き換えることを特徴とする請求項５に記載の情報処理システム。
【請求項７】
上記保持部は、一定レベル以上のセキュリティーを確保した状態でデータを保持することを特徴とする請求項５に記載の情報処理システム。
【請求項８】
上記ＩＣカードは、接触用端子を有する接触用ＬＳＩおよび非接触用アンテナを有する非接触用ＬＳＩを有するハイブリッドカードであることを特徴とする請求項５に記載の情報処理システム。
【請求項９】
請求項５乃至請求項８のいずれか１項に記載の情報処理システムに組み込まれたＩＣカード。
【請求項１０】
接触用端子を有する接触用ＬＳＩ、および非接触用アンテナを有する非接触用ＬＳＩを有するハイブリッドカードと、
このハイブリッドカードとの間で情報の読み書きを行なう情報処理装置と、を有する電子マネーシステムであって、
上記情報処理装置は、
上記ハイブリッドカードの上記接触用端子を介して上記接触用ＬＳＩとの間で情報を読み書きするための接触用インターフェースと、
上記ハイブリッドカードの上記非接触用アンテナを介して上記非接触用ＬＳＩとの間で情報を読み書きするための非接触用インターフェースと、
上記接触用端子および上記接触用インターフェースを介して上記接触用ＬＳＩから読み出した第１の残高情報を保持するとともに、上記非接触用アンテナおよび上記非接触用インターフェースを介して上記非接触用ＬＳＩから読み出した第２の残高情報を保持する保持部と、
上記非接触用ＬＳＩから読み出した上記第２の残高情報を上記保持部へ保持せしめ、この第２の残高情報を上記接触用インターフェースおよび上記接触用端子を介して上記ハイブリッドカードの上記接触用ＬＳＩに書き込み、この書き込んだ第２の残高情報を書き換えて残高を補充した後、書き換えた第１の残高情報を上記接触用端子および上記接触用インターフェースを介して上記保持部へ保持せしめ、この第１の残高情報を上記非接触用インターフェースおよび上記非接触用アンテナを介して上記ハイブリッドカードの上記非接触用ＬＳＩへ書き込む制御部と、
を有することを特徴とする電子マネーシステム。
【請求項１１】
上記保持部は、一定レベル以上のセキュリティーを確保した状態で上記第１および第２の残高情報を保持することを特徴とする請求項１０に記載の電子マネーシステム。
【発明の詳細な説明】
【技術分野】
【０００１】
この発明は、２つのＬＳＩを有するＩＣカードとの間で情報を読み書きする情報処理装置、情報処理システム、ＩＣカード、および電子マネーシステムに関する。
【背景技術】
【０００２】
近年、ＩＣカードとして、接触インターフェース（接触用端子）を有するＬＳＩ（接触用ＬＳＩ）と非接触インターフェース（非接触用アンテナ）を有するＬＳＩ（非接触用ＬＳＩ）を１枚のカードに搭載したハイブリッドカードが開発されている（例えば、特許文献１参照。）。このハイブリッドカードは、既存の接触用回路（接触用ＬＳＩ、接触用端子）と非接触用回路（非接触用ＬＳＩ、非接触用アンテナ）を１枚のカードに互いに独立した状態で組み込むだけで実現可能である反面、例えば、接触インターフェースを介して接触用ＬＳＩに書き込んだデータを非接触インターフェースを介して読み出すことはできず、また、非接触インターフェースを介して非接触用ＬＳＩに書き込んだデータを接触インターフェースを介して読み出すこともできない。つまり、このハイブリッドカードは、接触用ＬＳＩに書き込んだデータと非接触用ＬＳＩに書き込んだデータを相互にやりとりすることができない。
【０００３】
これに対し、接触インターフェース（接触用端子）と非接触インターフェース（非接触用アンテナ）を有するＬＳＩ（コンビネーション用ＬＳＩ）を搭載したコンビネーションカードが開発されている。このコンビネーションカードは、１つのＬＳＩに対して接触インターフェースおよび非接触インターフェースの双方からデータを書き込むことができ、接触インターフェースまたは非接触インターフェースを介してＬＳＩからデータを読み出すことができる。しかし、コンビネーション用のＬＳＩは上述した接触用ＬＳＩや非接触用ＬＳＩと比較して高価であり、製造コストが高くなる問題がある。
【０００４】
このため、比較的安価に製造できるハイブリッドカードを用いて、２つのＬＳＩ間でデータのやりとりを実現できるシステムの開発が望まれている。
【特許文献１】特公平４−１６８３１号公報
【発明の開示】
【発明が解決しようとする課題】
【０００５】
この発明の目的は、２つのＬＳＩを有するＩＣカードに対し各ＬＳＩに記録したデータを相互にやりとりできる情報処理装置、情報処理システム、ＩＣカード、および電子マネーシステムを提供することにある。
【課題を解決するための手段】
【０００６】
上記目的を達成するため、本発明の情報処理装置は、第１のインターフェースを有する第１のＬＳＩ、および第２のインターフェースを有する第２のＬＳＩを有するＩＣカードとの間で情報の読み書きを行なう装置であって、上記第１のインターフェースを介して上記第１のＬＳＩとの間で情報を読み書きするための第３のインターフェースと、上記第２のインターフェースを介して上記第２のＬＳＩとの間で情報を読み書きするための第４のインターフェースと、上記第１および第３のインターフェースを介して上記第１のＬＳＩから読み出した第１の情報を保持するとともに、上記第２および第４のインターフェースを介して上記第２のＬＳＩから読み出した第２の情報を保持する保持部と、上記第１および第２の情報を上記第１および第２のＬＳＩから読み出して上記保持部へ保持せしめるとともに、この保持せしめた第１の情報を上記第２および第４のインターフェースを介して上記ＩＣカードの上記第２のＬＳＩへ書き込み、上記保持部へ保持せしめた第２の情報を上記第１および第３のインターフェースを介して上記ＩＣカードの上記第１のＬＳＩへ書き込む制御部と、を有する。
【０００７】
また、本発明の情報処理システムは、第１のインターフェースを有する第１のＬＳＩ、および第２のインターフェースを有する第２のＬＳＩを有するＩＣカードと、このＩＣカードとの間で情報の読み書きを行なう情報処理装置と、を有し、上記情報処理装置は、上記ＩＣカードの上記第１のインターフェースを介して上記第１のＬＳＩとの間で情報を読み書きするための第３のインターフェースと、上記ＩＣカードの上記第２のインターフェースを介して上記第２のＬＳＩとの間で情報を読み書きするための第４のインターフェースと、上記第１および第３のインターフェースを介して上記第１のＬＳＩから読み出した第１の情報を保持するとともに、上記第２および第４のインターフェースを介して上記第２のＬＳＩから読み出した第２の情報を保持する保持部と、上記第１および第２の情報を上記第１および第２のＬＳＩから読み出して上記保持部へ保持せしめるとともに、この保持せしめた第１の情報を上記第２および第４のインターフェースを介して上記ＩＣカードの上記第２のＬＳＩへ書き込み、上記保持部へ保持せしめた第２の情報を上記第１および第３のインターフェースを介して上記ＩＣカードの上記第１のＬＳＩへ書き込む制御部と、を有する。
【０００８】
上記発明によると、ＩＣカードの第１のＬＳＩから読み出した情報を保持部へ一旦保持せしめて第２のＬＳＩに書き込むことができるとともに、第２のＬＳＩから読み出した情報を保持部を介して第１のＬＳＩに書き込むことができ、２つのＬＳＩ間における情報のやりとりを実現できる。
【０００９】
更に、本発明の電子マネーシステムは、接触用端子を有する接触用ＬＳＩ、および非接触用アンテナを有する非接触用ＬＳＩを有するハイブリッドカードと、このハイブリッドカードとの間で情報の読み書きを行なう情報処理装置と、を有し、上記情報処理装置は、上記ハイブリッドカードの上記接触用端子を介して上記接触用ＬＳＩとの間で情報を読み書きするための接触用インターフェースと、上記ハイブリッドカードの上記非接触用アンテナを介して上記非接触用ＬＳＩとの間で情報を読み書きするための非接触用インターフェースと、上記接触用端子および上記接触用インターフェースを介して上記接触用ＬＳＩから読み出した第１の残高情報を保持するとともに、上記非接触用アンテナおよび上記非接触用インターフェースを介して上記非接触用ＬＳＩから読み出した第２の残高情報を保持する保持部と、上記非接触用ＬＳＩから読み出した上記第２の残高情報を上記保持部へ保持せしめ、この第２の残高情報を上記接触用インターフェースおよび上記接触用端子を介して上記ハイブリッドカードの上記接触用ＬＳＩに書き込み、この書き込んだ第２の残高情報を書き換えて残高を補充した後、書き換えた第１の残高情報を上記接触用端子および上記接触用インターフェースを介して上記保持部へ保持せしめ、この第１の残高情報を上記非接触用インターフェースおよび上記非接触用アンテナを介して上記ハイブリッドカードの上記非接触用ＬＳＩへ書き込む制御部と、を有する。
【発明の効果】
【００１０】
この発明の情報処理装置、情報処理システム、ＩＣカード、電子マネーシステムは、上記のような構成および作用を有しているので、２つのＬＳＩを有するＩＣカードに対し各ＬＳＩ記録したデータを相互にやりとりできる。
【発明を実施するための最良の形態】
【００１１】
以下、図面を参照しながらこの発明の実施の形態について詳細に説明する。  
図１には、この発明の実施の形態に係る情報処理システム１（以下、単に、システム１と称する）の構成ブロック図を示してあり、図２には、このシステム１で使われるハイブリッドカードＣ（以下、単に、カードＣと称する）の回路構成を示してある。
【００１２】
図１に示すように、システム１は、カードＣと情報処理装置１０（以下、単に、処理装置１０と称する）を含む。カードＣは、図１および図２に示すように、接触用端子２（接触インターフェース）を有する接触用ＬＳＩ４、および非接触用アンテナ６（非接触インターフェース）を有する非接触用ＬＳＩ８を有する。
【００１３】
処理装置１０は、図１に示すように、カードＣの接触用端子２に接続する接触用インターフェース１１、カードＣの非接触用アンテナ６との間でデータを送受信するための非接触用インターフェース１２、処理装置１０の動作を制御する主制御部１５、主制御部１５からのコマンドに応じて接触用インターフェース１１を介してカードＣとの間でデータを送受信する接触用制御部１３、主制御部１５からのコマンドに応じて非接触用インターフェース１２を介してカードＣとの間でデータを送受信する非接触用制御部１４、各インターフェース１１、１２を介して主制御部１５で取得したデータを一定レベル以上のセキュリティーを確保した状態で保持する保持部（ＳＡＭ（Secure Application Module））１８、および、主制御部１５からのコマンドに応じてＳＡＭ用インターフェース１７を介してＳＡＭ１８に対するデータの読み書きを行なうＳＡＭ制御部１６を有する。
【００１４】
以下、電子マネーシステムに上述した本発明のシステム１を適用した場合における処理動作について、図３を参照して説明する。なお、ここでは、処理装置１０の詳細な構成についての動作説明を省略し、主にＳＡＭ１８とカードＣとの間のデータのやりとりについて説明する。
【００１５】
電子マネーシステムでは、カードＣの残高を補充する際には比較的セキュリティーの高い接触用インターフェースを用い、支払い処理の際には比較的処理速度が速く利便性の高い非接触用インターフェースを用いることが望ましい。
【００１６】
カードＣの残高を補充する場合、前処理１として、処理装置１０は、カードＣの非接触用アンテナ６を介して非接触用ＬＳＩ８の残高を読み出してＳＡＭ１８へ移行する。そして、前処理２として、処理装置１０は、ＳＡＭ１８へ移行した残高をカードＣの接触用端子２を介して接触用ＬＳＩ４に書き込む。
【００１７】
この後、処理装置１０は、残高補充処理として、図示しない入力部を介して予め補充された金額を、カードＣの接触用端子２を介して接触用ＬＳＩ４に書き込み、接触用ＬＳＩ４の残高を更新する。
【００１８】
そして、処理装置１０は、後処理１として、更新した残高を接触用端子２を介して接触用ＬＳＩ４から読み出してＳＡＭ１８へ移行する。さらに、処理装置１０は、後処理２として、ＳＡＭ１８へ移行した更新済の残高を非接触用アンテナ６を介して非接触用ＬＳＩ８へ書き込む。これにより、残高の補充処理が完了する。
【００１９】
一方、カードＣの支払い処理では、処理装置１０は、予め入力された支払い金額に応じて、非接触用アンテナ６を介して非接触用ＬＳＩ８から残高を減額し、非接触用ＬＳＩ８の残高を更新する。
【００２０】
以上のように、本実施の形態によると、接触用ＬＳＩと非接触用ＬＳＩを有する比較的安価なハイブリッドカードをシステムに組み込むことができ、その上、接触用ＬＳＩに書き込むデータと非接触用ＬＳＩに書き込むデータの互換性を持たせることができ、コンビネーションカードと同等の機能を実現できる。
【００２１】
また、本実施の形態のカードＣのように、接触用ＬＳＩと非接触用ＬＳＩを有するカードでは、各ＬＳＩの使用認定を個別に得ていれば違うメーカのＬＳＩを任意且つ自由に組み合わせることができ、設計の自由度を高めることができる。これに対し、２つのインターフェースを有する１つのＬＳＩを搭載したコンビネーションカードでは、接触用と非接触用で２種類の使用認定を取得する必要があり、組み合わせを変える度に認定を取り直す必要があり、利便性に欠ける問題がある。
【００２２】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００２３】
例えば、上述した実施の形態では、電子マネーシステムに本発明のシステムを適用した場合について説明したが、これに限らず、金融、流通、交通、医療、セキュリティー、産業、公共、生体認証などの他の情報処理システムに本発明のシステムを利用することもできる。
【００２４】
また、上述した実施の形態では、ＬＳＩに読み書きするデータを高いセキュリティー状態で保持する保持部としてＳＡＭを用いた場合について説明したが、これに限らず、ＨＳＭ（Hardware Security Module）、接触式ＩＣカード、非接触ＩＣカードなどの他の保持手段を用いても良い。
【００２５】
さらに、上述した実施の形態では、非接触用インターフェース１２を介してカードＣの非接触用ＬＳＩ８から読み取ったデータをＳＡＭ１８を経由して接触用インターフェース１１を介して接触用ＬＳＩ４に一旦書き込み、データ処理後、接触用インターフェース１１を介して接触用ＬＳＩ４からデータを読み出してＳＡＭ１８を経由して非接触用インターフェース１２を介して非接触用ＬＳＩ８に書き込むようにしたが、データ処理の流れを逆にしても良い。つまり、接触用インターフェース１１を介してカードＣの接触用ＬＳＩ４から読み取ったデータをＳＡＭ１８を経由して非接触用インターフェース１２を介して非接触用ＬＳＩ８に一旦書き込み、データ処理後、非接触用インターフェース１２を介して非接触用ＬＳＩ８からデータを読み出してＳＡＭ１８を経由して接触用インターフェース１１を介して接触用ＬＳＩ４に書き込むようにすることもできる。すなわち、本実施の形態によると、接触用ＬＳＩ４に記録したデータと非接触用ＬＳＩ８に記録したデータを相互にやりとりすることができる。
【図面の簡単な説明】
【００２６】
【図１】この発明の実施の形態に係る情報処理システムの構成を示すブロック図。
【図２】図１のシステムに組み込まれるハイブリッドカードの回路構成を示す図。
【図３】図１のシステムによる処理動作を説明するための動作説明図。
【符号の説明】
【００２７】
１…情報処理システム、２…接触用端子、４…接触用ＬＳＩ、６…非接触用アンテナ、８…非接触用ＬＳＩ、１０…情報処理装置、１１…接触用インターフェース、１２…非接触用インターフェース、１３…接触用制御部、１４…非接触用制御部、１５…主制御部、１６…ＳＡＭ制御部、１７…ＳＡＭ用インターフェース、１８…ＳＡＭ、Ｃ…ハイブリッドカード。
【図１】
2007114963.tif 000003
【図２】
2007114963.tif 000004
【図３】
2007114963.tif 000005